(57)【要約】      （修正有）【課題】作業性を向上させながら密閉性も高め、干している洗濯物にカメムシや蛾などの昆虫が進入することを防ぐことができる物干しハンガーカバーを提供する。【解決手段】物干しハンガー及び前記物干しハンガーに吊るされた洗濯物を覆う物干しハンガーカバー１０であって、前記物干しハンガー及び、前記洗濯物の上方、側方及び下方を覆い、前記物干しハンガー及び前記洗濯物を内部に収納するカバー本体１１と、前記カバー本体の上面部に形成され、前記物干しハンガーを対象物に係止するフック部を前記カバー本体から上方へ突出させるフック部挿通口部１２と、を備え、前記フック部挿通口部には、挿通された前記フック部を密閉状態で保持する面ファスナー部１３が設けられていることを特徴とする物干しハンガーカバー。【選択図】図１
0003233120.tif 000002
【実用新案登録請求の範囲】
【請求項１】
物干しハンガー及び前記物干しハンガーに吊るされた洗濯物を覆う物干しハンガーカバーであって、
前記物干しハンガー及び、前記洗濯物の上方、側方及び下方を覆い、前記物干しハンガー及び前記洗濯物を内部に収納するカバー本体と、
前記カバー本体の上面部に形成され、前記物干しハンガーを対象物に係止するフック部を前記カバー本体から上方へ突出させるフック部挿通口部と、を備え、
前記フック部挿通口部には、挿通された前記フック部を密閉状態で保持する面ファスナー部が設けられていることを特徴とする物干しハンガーカバー。
【請求項２】
前記フック部挿通口部は、前記上面部に形成されたスリット部及び、前記スリット部の両側に設けられた一対の面ファスナー片により構成されていることを特徴とする請求項１記載の物干しハンガーカバー。
【請求項３】
前記面ファスナー片は、側面視Ｌ字形状の一対の折り曲げ片により構成され、夫々、前記カバー本体に固定される固定部と、前記固定部に連設され、上方へ起立して相互に対向して配置される接合面部とを有し、前記接合面部には、夫々、前記面ファスナー部が配置されていることを特徴とする請求項２記載の物干しハンガーカバー。
【請求項４】
前記フック部挿通口部に接続して形成され、前記カバー本体の上部から下部にかけて開く線ファスナー部を備えることを特徴とする請求項１記載の物干しハンガーカバー。
【請求項５】
前記カバー本体の大部分を構成するメッシュ部分の色と前記線ファスナー部の色とは、明確に識別可能な異なる色であることを特徴とする請求項４記載の物干しハンガーカバー。
【請求項６】
前記線ファスナー部は、前記フック部挿通口部に接続される一端が、前記フック部挿通口部の内部まで進入して配置され、前記カバー本体の下部に配置される他端が、前記カバー本体の下端部まで延びて配置されていることを特徴とする請求項４記載の物干しハンガーカバー。
【考案の詳細な説明】
【技術分野】
【０００１】
本考案は、物干しハンガーカバーに係り、特に、物干しハンガー及び物干しハンガーに吊るされた洗濯物を覆う物干しハンガーカバーに関する。
【背景技術】
【０００２】
洗濯物を屋外で乾燥させる際、物干しハンガーに洗濯した衣類を掛けることになるが、自然環境にさらすことになるため、カメムシや蛾などの昆虫が洗濯物の隙間に入り込むことがある。洗濯物に入り込んだカメムシや蛾などに気づかずない場合、室内に取り入れてしまい不快な思いをするだけでなく、室内での思わぬ昆虫の飛翔を招いたり、カメムシの悪臭の被害にあったりする可能性がある。また、昆虫の侵入可能性は、洗濯物を屋外に干す際の人々のストレスとなり、健全で健康的な生活を害することにつながる。
【０００３】
このような問題を解消に応えるために、特許文献１は、屋根部の所定位置に、洗濯物ハンガーのネック部分を密閉した状態で引き出し可能とする防虫・防犯・撥水ネットを開示している。
【０００４】
しかしながら、特許文献１の防虫・防犯・撥水ネットは、屋根部の密閉性が充分ではなく、屋根部を紐で縛る必要があることから作業性もよくない。
【先行技術文献】
【特許文献】
【０００５】
【特許文献１】実用新案登録第３１５６４８４号公報
【考案の概要】
【考案が解決しようとする課題】
【０００６】
そこで、本考案の課題は、作業性を向上させながら密閉性も高め、干している洗濯物にカメムシや蛾などの昆虫が進入することを防ぐことができる物干しハンガーカバーを提供することにある。
【課題を解決するための手段】
【０００７】
上記課題達成のため、請求項１記載の考案にあっては、物干しハンガー及び前記物干しハンガーに吊るされた洗濯物を覆う物干しハンガーカバーであって、前記物干しハンガー及び、前記洗濯物の上方、側方及び下方を覆い、前記物干しハンガー及び前記洗濯物を内部に収納するカバー本体と、前記カバー本体の上面部に形成され、前記物干しハンガーを対象物に係止するフック部を前記カバー本体から上方へ突出させるフック部挿通口部と、を備え、前記フック部挿通口部には、挿通された前記フック部を密閉状態で保持する面ファスナー部が設けられていることを特徴とする。
従って、本考案に係る物干しハンガーカバーにあっては、カバー本体から物干しハンガーのフック部を挿通させて突出させた場合でも面ファスナー部によって密閉性が確保される。
【０００８】
請求項２記載の考案にあっては、前記フック部挿通口部は、前記上面部に形成されたスリット部及び、前記スリット部の両側に設けられた一対の面ファスナー片により構成されていることを特徴とする。
従って、本考案に係る物干しハンガーカバーにあっては、スリット部及び一対の面ファスナー片といった少ない部品でフック部挿通口部を形成することができる。
【０００９】
請求項３記載の考案にあっては、前記面ファスナー片は、側面視Ｌ字形状の一対の折り曲げ片により構成され、夫々、前記カバー本体に固定される固定部と、前記固定部に連設され、上方へ起立して相互に対向して配置される接合面部とを有し、前記接合面部には、夫々、前記面ファスナー部が配置されていることを特徴とする。
従って、本考案に係る物干しハンガーカバーにあっては、２つの折り曲げ片によってフック部挿通口部を形成することができる。
【００１０】
請求項４記載の考案にあっては、前記フック部挿通口部に接続して形成され、前記カバー本体の上部から下部にかけて開く線ファスナー部を備えることを特徴とする。
従って、本考案に係る物干しハンガーカバーにあっては、カバー本体を上部から下部にかけて大きく開放することができる。
【００１１】
請求項５記載の考案にあっては、前記カバー本体の大部分を構成するメッシュ部分の色と前記線ファスナー部の色とは、明確に識別可能な異なる色であることを特徴とする。
従って、本考案に係る物干しハンガーカバーにあっては、使用時に、一見して、カバー本体から線ファスナー部を視認することができる。
【００１２】
請求項６記載の考案にあっては、前記線ファスナー部は、前記フック部挿通口部に接続される一端が、前記フック部挿通口部の内部まで進入して配置され、前記カバー本体の下部に配置される他端が、前記カバー本体の下端部まで延びて配置されていることを特徴とする。
従って、本考案に係る物干しハンガーカバーにあっては、フック挿通口部からカバー本体下端部に至るまで大きく開放することができる。
【考案の効果】
【００１３】
請求項１記載の考案にあっては、物干しハンガー及び前記物干しハンガーに吊るされた洗濯物を覆う物干しハンガーカバーであって、前記物干しハンガー及び、前記洗濯物の上方、側方及び下方を覆い、前記物干しハンガー及び前記洗濯物を内部に収納するカバー本体と、前記カバー本体の上面部に形成され、前記物干しハンガーを対象物に係止するフック部を前記カバー本体から上方へ突出させるフック部挿通口部と、を備え、前記フック部挿通口部には、挿通された前記フック部を密閉状態で保持する面ファスナー部が設けられていることから、カバー本体から物干しハンガーのフック部を挿通させて突出させた場合でも面ファスナー部によって密閉性が確保されるため、洗濯物全体を覆い、面ファスナー部が設けられたフック部挿通口部を採用することでその密閉性を高め、干している洗濯物にカメムシや蛾などの昆虫が進入することを防ぐことができる。
また、請求項１記載の考案にあっては、フック部挿通口部において、面ファスナー部により挿通して突出するフック部を密閉固定できるため、迅速かつ容易に、フック部を突出させた状態でのカバー本体の密閉状態を形成することができる。
【００１４】
請求項２記載の考案にあっては、前記フック部挿通口部は、前記上面部に形成されたスリット部及び、前記スリット部の両側に設けられた一対の面ファスナー片により構成されていることから、スリット部及び一対の面ファスナー片といった簡易な部品でフック部挿通口部を形成することができるため、簡単な構成でフック部挿通口部を形成することができる。
【００１５】
請求項３記載の考案にあっては、前記面ファスナー片は、側面視Ｌ字形状の一対の折り曲げ片により構成され、夫々、前記カバー本体に固定される固定部と、前記固定部に連設され、上方へ起立して相互に対向して配置される接合面部とを有し、前記接合面部には、夫々、前記面ファスナー部が配置されていることから、２つの折り曲げ片によってフック部挿通口部を形成することができるため、密閉性が高いフック部挿通口部を簡単に形成することができる。
【００１６】
請求項４記載の考案にあっては、前記フック部挿通口部に接続して形成され、前記カバー本体の上部から下部にかけて開く線ファスナー部を備えることから、カバー本体を上部から下部にかけて大きく開放することができるため、洗濯物を覆う作業や洗濯物を取り出す作業を容易に行うことができる。
【００１７】
請求項５記載の考案にあっては、前記カバー本体の大部分を構成するメッシュ部分の色と前記線ファスナー部の色とは、明確に識別可能な異なる色であることから、使用時には一見して、カバー本体から線ファスナー部を視認することができるため、洗濯物を覆う作業や洗濯物を取り出す作業を容易に行うことができる。
【００１８】
請求項６記載の考案にあっては、前記線ファスナー部は、前記フック部挿通口部に接続される一端が、前記フック部挿通口部の内部まで進入して配置され、前記カバー本体の下部に配置される他端が、前記カバー本体の下端部まで延びて配置されていることから、線ファスナー部の一端に隙間を作らず、線ファスナー部の他端に余裕を持たせることができるため、密閉性を向上させつつ、作業性も向上させることができる。
【図面の簡単な説明】
【００１９】
【図１】本考案に係る物干しハンガーカバーの一実施の形態を示す斜視図である。
【図２】本考案に係る物干しハンガーカバーの一実施の形態における平面状の面ファスナー片を示す図であり、図２（Ａ）は面ファスナー片の表面を示し、図２（Ｂ）は面ファスナー片の裏面を示している。
【図３】本考案に係る物干しハンガーカバーの一実施の形態における立体状の面ファスナー片を示す斜視図である。
【図４】本考案に係る物干しハンガーカバーの一実施の形態における使用状態を示す全体図である。
【図５】本考案に係る物干しハンガーカバーの一実施の形態における使用状態を示す部分拡大斜視図である。
【考案を実施するための形態】
【００２０】
以下、本考案に係る一実施の形態について、図面を参照しながら説明する。なお、各図面においては、理解を容易にするために、部材の形状や寸法を誇張して図示したり一部の部材を省略したりして図示している箇所もある。
図１及び図４に示すように、本実施の形態に係る物干しハンガーカバー１０は、物干しハンガー２０（図４参照）及び物干しハンガー２０に吊るされた洗濯物３０（図４参照）を覆う物干しハンガーカバー１０であって、物干しハンガー２０及び、洗濯物３０の上方、側方及び下方を覆い、物干しハンガー２０及び洗濯物３０を内部に収納するカバー本体１１と、カバー本体の上面部１１ａに形成され、物干しハンガー２０を対象物（物干し竿など）に係止するフック部２１（図４参照）をカバー本体１１から上方へ突出させるフック部挿通口部１２と、を備え、フック部挿通口部１２には、挿通されたフック部２１を密閉状態で保持する面ファスナー部１３が設けられている。
従って、本実施の形態に係る物干しハンガーカバー１０にあっては、カバー本体１１から物干しハンガー２０のフック部２１を挿通させて突出させた場合でも面ファスナー部１３によって密閉性が確保される。
【００２１】
カバー本体１１には、メッシュ状の繊維を用いている。カバー本体１１はメッシュ状の繊維により形成されていることから、昆虫類の侵入を防ぐと共に乾燥に必要な通気性を保つことができ、洗濯物３０を良好に乾燥させることができる。
メッシュの大きさは、昆虫類の侵入を防ぐため１ｍｍから５ｍｍの間とすることが好ましい。カバー本体１１には、例えば、株式会社シンセイの防虫ネット（１ｍｍ目）を用いることができる。
【００２２】
フック部挿通口部１２は、上面部１１ａに形成されたスリット部１４及び、スリット部１４の両側に設けられた一対の面ファスナー片１５により構成されている。
従って、本実施の形態に係る物干しハンガーカバー１０にあっては、スリット部１４及び一対の面ファスナー片１５といった簡易な構成部品でフック部挿通口部１２を形成することができる。
【００２３】
本実施の形態に係る物干しハンガーカバー１０は、フック部挿通口部１２に接続して形成され、カバー本体１１の上部から下部にかけて開く線ファスナー部１６を備えている。
従って、本実施の形態に係る物干しハンガーカバー１０にあっては、カバー本体１１を上部から下部にかけて大きく開放することができる。
【００２４】
本実施の形態に係る物干しハンガーカバー１０は、カバー本体１１の大部分を構成するメッシュ部分の色と線ファスナー部１６の色とは、明確に識別可能な異なる色である。例えば、カバー本体１１の大部分を構成するメッシュ部分が白色である場合、線ファスナー部１６の色は、青色や赤色、黒色、緑色などとすることができる。
従って、本実施の形態に係る物干しハンガーカバー１０にあっては、使用時に使用者は一見して、カバー本体１１から線ファスナー部１６を視認し、把持することができる。
【００２５】
線ファスナー部１６は、フック部挿通口部１２に接続される一端１６ａが、フック部挿通口部１２の内部まで進入して配置され、カバー本体１１の下部に配置される他端１６ｂが、カバー本体１１の下端部まで延びて配置されている。なお、線ファスナー部１６のカバー本体１１の下部に配置される他端１６ｂは、カバー本体１１の下端部から、カバー本体１１の下面部内方に至って配置することが好ましい。
従って、本実施の形態に係る物干しハンガーカバー１０にあっては、線ファスナー部１６の一端１６ａに隙間を作らず、線ファスナー部１６の他端１６ｂに余裕を持たせることができる。
【００２６】
カバー本体１１の高さ方向の寸法Ｚ１は、１１００ｍｍである。カバー本体１１の奥行方向の寸法Ｘ１は、４５０ｍｍである。カバー本体１１の幅方向の寸法Ｙ１は、８５０ｍｍである。
カバー本体１１の左端部からフック部挿通口部１２の左端部までの幅方向の寸法Ｙ２は、３６５ｍｍである。フック部挿通口部１２の起立している部分の左端部から右端部までの幅方向の寸法Ｙ３は、１２０ｍｍである。フック部挿通口部１２の起立している部分の右端部からカバー本体１１の右端部までの幅方向の寸法Ｙ４は、３６５ｍｍである。
【００２７】
線ファスナー部１６の全長は、１４７５ｍｍである。線ファスナー部１６は、スライダ―を上端に移動させた際にカバー本体１１を閉じ、下端に移動させた際にカバー本体１１を開放するようになっている。線ファスナー部１６の全長のうち、上部の５ｍｍは、フック部挿通口部１２の中に入るようになっており、下部の５ｍｍはカバー本体１１の下端部
に至って配置されている。
【００２８】
物干しハンガーカバー１０の最適なサイズは、利用する物干しハンガー２０や洗濯物３０のサイズによって異なるため、基本構造を同じとしながらも高さ方向の寸法、奥行き方向の寸法、幅方向の寸法、フック部挿通口部１２の大きさなどは、適宜変更することができる。
【００２９】
図２及び図３に示すように、面ファスナー片１５は、側面視Ｌ字形状の一対の折り曲げ片１７により構成され、夫々、カバー本体１１に固定される固定部１７ａと、固定部１７ａに連設され、上方へ起立して相互に対向して配置される接合面部１７ｂとを有し、接合面部１７ｂには、夫々、面ファスナー部１３が配置されている。折り曲げ片１７は、固定部１７ａと接合面部１７ｂとの間に形成された折り目１８によって折り曲げ可能に形成されている。
従って、本実施の形態に係る物干しハンガーカバー１０にあっては、２つの折り曲げ片１７によってフック部挿通口部１２を形成することができる。
【００３０】
図２に示すように、固定部１７ａの幅方向の寸法Ｙ５は、１３０ｍｍである。接合面部１７ｂの幅方向の寸法Ｙ６は、１２０ｍｍである。固定部１７ａ及び接合面部１７ｂの高さ方向の寸法Ｚ２は、２５ｍｍである。
【００３１】
図２（Ａ）に示すように、接合面部１７ｂの表面の中央部分には、ロゴタグ部１９が形成されている。ロゴタグ部１９には、商品名や型番などを表示することができる。ロゴタグ部１９の形状は、縦１５ｍｍ×横５０ｍｍの長方形である。
【００３２】
図２（Ｂ）に示すように、接合面部１７ｂの裏面には、面ファスナー部１３が配置されている。面ファスナー部１３の形状は、縦２０ｍｍ×横１１５ｍｍの長方形である。面ファスナー部１３は、折り目１８の約２ｍｍ上に配置している。２つの折り曲げ片１７の色は、線ファスナー部１６と同じ色にすることが好ましい。
【００３３】
図３に示すように、２つの折り曲げ片１７の左側には、線ファスナー部１６が配置されており、線ファスナー部１６は、２つの折り曲げ片１７の内部に進入して配置されている。また、２つの折り曲げ片１７、１７の右側には、強度を向上させるための１０ｍｍ程度の延長部１７ｃが形成されている。
【００３４】
次に、本実施の形態に係る物干しハンガーカバー１０の使用方法について説明する。
図４及び図５に示すように、本実施の形態に係る物干しハンガーカバー１０を使用する場合、まず、物干しハンガー２０に洗濯物３０を吊るす。
ついで、線ファスナー部１６（図１参照）を用いてカバー本体１１を開放し、カバー本体１１の内部に、物干しハンガー２０及び洗濯物３０全体を収納し、線ファスナー部１６を閉じる。
そして、物干しハンガー２０のフック部２１を、カバー本体１１のフック部挿通口部１２からカバー本体１１の外部に出し、面ファスナー部１３でフック部２１を挟み込むようにして、フック部挿通口部１２をしっかりと閉じる。最後に、物干しハンガー２０のフック部２１を物干し竿４０に引っ掛ける。
【００３５】
以上説明したように、本実施の形態に係る物干しハンガーカバー１０にあっては、カバー本体１１から物干しハンガー２０のフック部２１を挿通させて突出させた場合でも面ファスナー部１３によって密閉性が確保されるため、洗濯物３０全体を覆い、面ファスナー部１３が設けられたフック部挿通口部１２を採用することでその密閉性を高め、干している洗濯物３０にカメムシや蛾などの昆虫が進入することを防ぐことができる。
【００３６】
本実施の形態に係る物干しハンガーカバー１０にあっては、フック部挿通口部１２において、面ファスナー部１３により挿通して突出するフック部２１を密閉固定できるため、迅速かつ容易に、フック部２１を突出させた状態でのカバー本体１１の密閉状態を形成することができる。
【００３７】
本実施の形態に係る物干しハンガーカバー１０にあっては、物干しハンガー２０のフック部２１の周囲を覆う機構に面ファスナー部１３を利用することで密閉性を高め、面ファスナー部１３を取り付けたフック部挿通口部１２に連続して線ファスナー部１６を利用することでカバー本体１１と物干しハンガー２０の着脱を容易にすることができる。そして、このような構成を採用することでカメムシや蛾などの昆虫が洗濯物３０に侵入すること防ぐことができるだけでなく、物干しハンガーカバー１０に昆虫が付着しても視覚的に識別できるため、洗濯物３０への侵入及び室内への侵入を容易に防ぐことができ、屋外での洗濯物３０の乾燥を安心して行うことができる。
【００３８】
また、本実施の形態に係る物干しハンガーカバー１０にあっては、スリット部１４及び一対の面ファスナー片１５といった簡易な構成部品でフック部挿通口部１２を形成することができるため、簡単な構成でフック部挿通口部１２を形成することができる。
【００３９】
さらに、本実施の形態に係る物干しハンガーカバー１０にあっては、２つの折り曲げ片１７によってフック部挿通口部１２を形成することができるため、フック部２１を両側からファスナー片１５、１５により圧接して接合することにより、密閉性が高いフック部挿通口部１２を簡単に形成することができる。
【００４０】
さらにまた、本実施の形態に係る物干しハンガーカバー１０にあっては、カバー本体１１を上部から下部にかけて大きく開放することができるため、洗濯物３０を覆う作業や洗濯物３０を取り出す作業を容易に行うことができる。
【００４１】
その上、本実施の形態に係る物干しハンガーカバー１０にあっては、一見して、カバー本体１１から線ファスナー部１６を見つけ出すことができるため、使用時に洗濯物３０を覆う作業や洗濯物３０を取り出す作業を容易に行うことができる。
【００４２】
また、本実施の形態に係る物干しハンガーカバー１０にあっては、線ファスナー部１６の一端１６ａに隙間を作らず、線ファスナー部１６の他端１６ｂに余裕を持たせることができるため、密閉性を向上させつつ、作業性も向上させることができる。
【００４３】
上述した実施の形態にあっては、以下の変形が可能である。
（１）線ファスナー部１６は、カバー本体１１の上面部及び側面部だけでなく、底面部まで延長して配置してもよい。
（２）カバー本体１１の大部分を構成するメッシュ部分の色と線ファスナー部１６の色とは、同一の色（例えば、白色など）であってもよい。
（３）フック部挿通口部１２には、折り曲げ片１７を配置せずに、面ファスナー部１３だけを配置してもよい。
（４）物干しハンガーカバー１０に用いる各部材の寸法は、あくまで例示であり、本実施の形態に限定されるものではない。
【産業上の利用可能性】
【００４４】
本考案は物干しハンガーカバーに係ることから、広く産業上の利用可能性を有している。
【符号の説明】
【００４５】
１０    物干しハンガーカバー
１１    カバー本体
１１ａ  上面部
１２    フック部挿通口部
１３    面ファスナー部
１４    スリット部
１６    線ファスナー部
１６ａ  一端
１６ｂ  他端
１７    折り曲げ片
１７ａ  固定部
１７ｂ  接合面部
１７ｃ  延長部
１８    折り目
１９    ロゴタグ部
２０    物干しハンガー
２１    フック部
３０    洗濯物
４０    物干し竿
Ｘ１    カバー本体１１の奥行方向の寸法
Ｙ１    カバー本体１１の幅方向の寸法
Ｙ２    カバー本体１１の左端部からフック部挿通口部１２の左端部までの幅方向の寸法
Ｙ３    フック部挿通口部１２の起立している部分の左端部から右端部までの幅方向の寸法
Ｙ４    フック部挿通口部１２の起立している部分の右端部からカバー本体１１の右端部までの幅方向の寸法
Ｙ５    固定部１７ａの幅方向の寸法
Ｙ６    接合面部１７ｂの幅方向の寸法
Ｚ１    カバー本体１１の高さ方向の寸法
Ｚ２    固定部１７ａ及び接合面部１７ｂの高さ方向の寸法
【図１】
0003233120.tif 000003
【図２】
0003233120.tif 000004
【図３】
0003233120.tif 000005
【図４】
0003233120.tif 000006
【図５】
0003233120.tif 000007